(57)【要約】【課題】外部接続機器の状態を把握するための専用の接続を行わなくても、外部接続機器の状態を確実に把握して、最適なタイミングでスクリーンセーバーモードに移行することを可能とする。【解決手段】外部機器であるＶＣＲ１が接続されたテレビジョン受像機２において、制御部３５は、外部入力端子２１に接続されたＶＣＲ１の動作時、機器側リモコン１１からのストップキー信号またはポーズキー信号を受信部３９で受信すると、タイマー回路３８を起動して予め設定された一定時間の計測を開始し、一定時間が経過すると画像メモリ部３７に記憶されている映像をスクリーンセーバー用の画像としてＣＲＴ表示部３０に表示するスクリーンセーバーモードに移行する一方、この表示状態において機器側リモコン１１からのプレイキー信号を受信すると、スクリーンセーバーモードを解除する。【選択図】  図１
2005027112.tif 000002
【特許請求の範囲】
【請求項１】
外部入力端子を有するとともに、自機のリモコンからの信号を受信する受信部を有するテレビジョン受像機において、
前記外部入力端子に接続可能な各種ビデオカセットレコーダのリモコン信号であるストップキー信号、ポーズキー信号、プレイキー信号の各キー信号を各機種ごとに記憶しているキー信号記憶手段と、
前記自機のリモコンに設けられ、前記外部入力端子に接続される任意のビデオカセットレコーダのリモコン信号を前記キー信号記憶手段から選択して設定するリモコン信号設定ボタンと、
前記自機のリモコンに設けられ、チューナ回路で受信した映像をスクリーンセーバー用の画像として取り込むための画像取り込みボタンと、
この画像取り込みボタンの操作信号を前記受信部で受信することにより、チューナ回路で受信している映像をスクリーンセーバー用の画像として所定時間分記憶する画像記憶手段と、
任意の時間を計測する計測手段と、
機器全体の動作を制御する制御手段とを備えており、
前記制御手段は、前記外部入力端子に接続された前記ビデオカセットレコーダの動作時、前記リモコン信号設定ボタンの操作により設定されたビデオ信号を送信する前記ビデオカセットレコーダのリモコンからのストップキー信号またはポーズキー信号を前記受信部で受信すると、前記計測手段を起動して予め設定された一定時間の計測を開始し、一定時間が経過すると前記画像記憶手段に記憶されている映像をスクリーンセーバー用の画像としてモニタに表示するスクリーンセーバーモードに移行する一方、この表示状態において前記リモコンからのプレイキー信号を受信すると、前記スクリーンセーバーモードを解除することを特徴とするテレビジョン受像機。
【請求項２】
外部入力端子を有するとともに、自機のリモコンからの信号を受信する受信部を有するテレビジョン受像機において、
前記外部入力端子に接続されるビデオカセットレコーダのリモコン信号であるストップキー信号、ポーズキー信号、プレイキー信号の各キー信号を記憶するキー信号記憶手段と、
前記自機のリモコンに設けられ、チューナ回路で受信した映像をスクリーンセーバー用の画像として取り込むための画像取り込みボタンと、
この画像取り込みボタンの操作信号を前記受信部で受信することにより、チューナ回路で受信している映像を所定時間分記憶する画像記憶手段と、
任意の時間を計測する計測手段と、
機器全体の動作を制御する制御手段とを備えており、
前記制御手段は、前記外部入力端子に接続された前記ビデオカセットレコーダの動作時、前記ビデオカセットレコーダのリモコンからのストップキー信号またはポーズキー信号を前記受信部で受信すると、前記計測手段を起動して予め設定された一定時間の計測を開始し、一定時間が経過すると前記画像記憶手段に記憶されている映像をスクリーンセーバー用の画像としてモニタに表示するスクリーンセーバーモードに移行する一方、この表示状態において前記リモコンからのプレイキー信号を受信すると、前記スクリーンセーバーモードを解除することを特徴とするテレビジョン受像機。
【請求項３】
外部入力端子を有するとともに、自機のリモコンからの信号を受信する受信部を有するテレビジョン受像機において、
前記外部入力端子に接続されるビデオカセットレコーダのリモコン信号であるストップキー信号、ポーズキー信号、プレイキー信号の各キー信号を記憶するキー信号記憶手段と、
スクリーンセーバー用の画像を記憶する画像記憶手段と、
任意の時間を計測する計測手段と、
機器全体の動作を制御する制御手段とを備えており、
前記制御手段は、前記外部入力端子に接続された前記ビデオカセットレコーダの動作時、前記ビデオカセットレコーダのリモコンからのストップキー信号またはポーズキー信号を前記受信部で受信すると、前記計測手段を起動して予め設定された一定時間の計測を開始し、一定時間が経過すると前記画像記憶手段に記憶されているスクリーンセーバー用の画像をモニタに表示するスクリーンセーバーモードに移行する一方、この表示状態において前記リモコンからのプレイキー信号を受信すると、前記スクリーンセーバーモードを解除することを特徴とするテレビジョン受像機。
【請求項４】
外部入力端子を有するとともに、自機のリモコンからの信号を受信する受信部を有するテレビジョン受像機において、
前記外部入力端子に接続されるビデオカセットレコーダのリモコン信号であるストップキー信号、ポーズキー信号、プレイキー信号の各キー信号を記憶するキー信号記憶手段と、
任意の時間を計測する計測手段と、
機器全体の動作を制御する制御手段とを備えており、
前記制御手段は、前記外部入力端子に接続された前記ビデオカセットレコーダの動作時、前記ビデオカセットレコーダのリモコンからのストップキー信号またはポーズキー信号を前記受信部で受信すると、前記計測手段を起動して予め設定された一定時間の計測を開始し、一定時間が経過するとチューナ回路で受信している映像をモニタに表示するスクリーンセーバーモードに移行する一方、この表示状態において前記リモコンからのプレイキー信号を受信すると、前記スクリーンセーバーモードを解除することを特徴とするテレビジョン受像機。
【請求項５】
外部入力端子と、自装置のリモコンからの信号を受信する受信部と、ＣＲＴ表示部とを有する画像表示装置において、
前記外部入力端子に接続される外部機器のリモコン信号である静止画を発生する特定キー信号を記憶するキー信号記憶手段と、
任意の時間を計測する計測手段と、
自装置全体の動作を制御する制御手段とを備えており、
前記制御手段は、前記外部入力端子に接続された前記外部機器の動作時、機器側リモコンからの特定キー信号を前記受信部で受信すると、前記計測手段を起動して予め設定された一定時間の計測を開始し、一定時間が経過するとチューナ回路で受信している映像を前記ＣＲＴ表示部に表示するスクリーンセーバーモードに移行することを特徴とする画像表示装置。
【請求項６】
外部入力端子と、自装置のリモコンからの信号を受信する受信部と、ＣＲＴ表示部とを有する画像表示装置において、
前記外部入力端子に接続される外部機器のリモコン信号である静止画を発生する特定キー信号を記憶するキー信号記憶手段と、
スクリーンセーバー用の画像を記憶する画像記憶手段と、
任意の時間を計測する計測手段と、
自装置全体の動作を制御する制御手段とを備えており、
前記制御手段は、前記外部入力端子に接続された前記外部機器の動作時、機器側リモコンからの特定キー信号を前記受信部で受信すると、前記計測手段を起動して予め設定された一定時間の計測を開始し、一定時間が経過すると前記画像記憶手段に記憶されているスクリーンセーバー用の画像を前記ＣＲＴ表示部に表示するスクリーンセーバーモードに移行することを特徴とする画像表示装置。
【請求項７】
前記キー信号記憶手段には、前記外部入力端子に接続可能な各種外部機器のリモコン信号である静止画を発生する特定キー信号が各機種ごとに記憶されていることを特徴とする請求項５または請求項６に記載の画像表示装置。
【請求項８】
前記自装置のリモコンに設けられ、前記外部入力端子に接続される任意の外部機器の特定キー信号を前記キー信号記憶手段から選択して設定するリモコン信号設定ボタンを備えており、
前記制御手段は、前記リモコン信号設定ボタンの操作により、前記キー信号記憶手段に記憶されている各機種の特定キー信号の中から操作により選択された特定キー信号をスクリーンセーバーに関連する特定キー信号として設定することを特徴とする請求項７に記載の画像表示装置。
【請求項９】
新たな特定キー信号を追加する追加モード機能を備えており、前記制御手段は、この追加モード時に外部機器のリモコンに設けられている静止画を発生させるキーボタンが自装置に向けて操作されることにより前記キー信号を前記受信部で受信し、新たな特定キー信号として前記キー信号記憶手段に追加記憶させることを特徴とする請求項５ないし請求項８のいずれかに記載の画像表示装置。
【発明の詳細な説明】
【０００１】
【発明の属する技術分野】
本発明は、外部機器を接続する外部接続端子を有する画像表示装置に係り、より詳細には、接続された外部機器側の操作によって長時間静止画が表示された場合のＣＲＴ表示部の焼き付きを防止するスクリーンセーバー機能を備えたテレビジョン受像機及び画像表示装置に関する。
【０００２】
【従来の技術】
従来より、ディスク再生中の無動作映像によるＣＲＴ画面の焼き付きを防止するスクリーンセーバー機能を備えたＤＶＤ一体型テレビジョン受像機等が提案されている（例えば、特許文献１、特許文献２、特許文献３参照）。
【０００３】
特許文献１には、静止画の表示による画面の焼き付きを防止するスクリーンセーバーに代えて当該装置の取り扱い操作方法等を表示して焼き付きの防止を図る画像表示装置が記載されており、ユーザがリモコンでポーズキーを操作すると、ＣＲＴ画面に静止画を表示し、一定時間を計測すると、表示内容を静止画から操作説明文の文字データに切り換えるようになっている。
【０００４】
また、特許文献２には、静止画やＤＶＤメニュー画面が表示されて一定時間が経過すると、デッキの電源をオフする構成のＤＶＤ一体型テレビジョン受像機が記載されている。
【０００５】
また、特許文献３には、オンスクリーンディスプレイ回路を用いて、記憶素子に記憶されたスクリーンセーバー用画像を画像信号として出力する構成において、記憶素子に予め複数のスクリーンセーバー用画像を記憶させ、オンスクリーンディスプレイ回路が画像信号として出力するスクリーンセーバー用画像を前記複数のスクリーンセーバー用画像から選択可能とした画像再生装置が記載されている。
【０００６】
上記いずれの技術も、テレビジョン受像機と本来は外部接続機器であるＤＶＤ装置とが一体に組み込まれたものであるため、ＤＶＤ装置とテレビジョン受像機との信号の授受は、内部回路を構築することで簡単に実現できる。
【０００７】
一方、テレビジョン受像機の外部接続端子に例えばＤＶＤプレーヤを外付けで接続して使用する場合、プレーヤ本体側の操作によって静止画状態が続いた場合には、プレーヤ側からテレビジョン受像機に対してスクリーンセーバー用画像を出力することで、ＣＲＴ表示部の画像焼き付きを防止するようになっている。
【０００８】
【特許文献１】
特開２００１−３０６０５２号公報
【特許文献２】
特開平１１４３９０号公報
【特許文献３】
特開２００３−１１５０５４号公報
【０００９】
【発明が解決しようとする課題】
これに対し、外部接続機器が例えばＶＣＲ（ビデオカセットレコーダ）である場合、ＶＣＲには、テレビジョン受像機に対してスクリーンセーバー用画像を送出する機能は備えられていない。そのため、ＶＣＲの再生動作中に、ユーザがＶＣＲのリモコンを操作してＶＣＲの再生動作を一時停止状態にし、長時間静止画状態にした場合には、テレビジョン受像機のＣＲＴ画面の焼き付きによる劣化を早めてしまうといった問題があった。
【００１０】
一方、ＶＣＲにおいても、一時停止状態がある一定時間継続すると、一時停止状態を自動的に解除して再生動作を停止する構成となっているが、これはＣＲＴ画面の焼き付き防止を目的としたものではなく、装填されている磁気テープの同じ箇所を長時間再生することによるテープ劣化の防止を目的にしている。
【００１１】
そのため、このようなスクリーンセーバー機能を有しない外部機器を接続した場合には、テレビジョン受像機側でＣＲＴ画面の焼き付きを防止する必要がある。この場合、テレビジョン受像機にスクリーンセーバー機能を持たせたものも提案されているが、このスクリーンセーバー機能を働かせるためには、外付けされたＣＲＴの動作状態を把握する必要がある。
【００１２】
ＣＲＴの動作状態を把握する１つの手段として、ＣＲＴとテレビジョン受像機とを情報取得用専用線（例えば、ＵＳＢやＩＥＥＥ１３９４等）で接続し、リモコンの操作信号をＣＲＴ側からテレビジョン受像機側に送るように構成することが考えられるが、これでは専用線の接続が必要であるし、また、ＣＲＴ側にも操作信号自体をテレビジョン受像機側に送信するための新たな回路構成が必要となるといった問題があった。
【００１３】
本発明はかかる問題点を解決すべく創案されたもので、その目的は、外部機器の状態を把握するための専用の接続を行わなくても、外部機器の状態を確実に把握して、最適なタイミングでスクリーンセーバーモードに移行することのできるテレビジョン受像機及び画像表示装置を提供することにある。
【００１４】
【課題を解決するための手段】
本発明は、外部入力端子と、自装置のリモコンからの信号を受信する受信部と、ＣＲＴ表示部とを有する画像表示装置において、前記外部入力端子に接続される外部機器のリモコン信号である静止画を発生する特定キー信号を記憶するキー信号記憶手段と、任意の時間を計測する計測手段と、自装置全体の動作を制御する制御手段とを備えており、前記制御手段は、前記外部入力端子に接続された前記外部機器の動作時、機器側リモコンからの特定キー信号を前記受信部で受信すると、前記計測手段を起動して予め設定された一定時間の計測を開始し、一定時間が経過するとチューナ回路で受信している映像を前記ＣＲＴ表示部に表示するスクリーンセーバーモードに移行することを特徴としている。
【００１５】
すなわち、本発明の特徴は、外部入力端子に接続された外部機器の機器側リモコンから送信される操作信号を、自装置のリモコン信号を受信するために設けられている受信部を利用して直接受信することによって、外部機器の動作状態を装置側で把握する点にある。これにより、外部機器を接続するための外部入力端子とは別に、外部機器の動作状態を把握するための専用の接続を行わなくても、装置側で外部機器の動作状態を確実に把握することが可能となる。
【００１６】
また、本発明では、スクリーンセーバーモードに移行したとき、チューナ回路で受信している映像をスクリーンセーバー用画像として利用する構成としている。これにより、装置側でスクリーンセーバー用の画像を記憶しておく必要がないので、そのためのメモリを省略することができる。
【００１７】
ここで、本発明の画像表示装置としてはテレビジョン受像機を例示することができ、外部機器としてはＶＣＲを例示することができる。この場合、上記特定キー信号としては、ポーズキー信号やストップキー信号などが考えられる。
【００１８】
また、本発明は、外部入力端子と、自装置のリモコンからの信号を受信する受信部と、ＣＲＴ表示部とを有する画像表示装置において、前記外部入力端子に接続される外部機器のリモコン信号である静止画を発生する特定キー信号を記憶するキー信号記憶手段と、スクリーンセーバー用の画像を記憶する画像記憶手段と、任意の時間を計測する計測手段と、自装置全体の動作を制御する制御手段とを備えており、前記制御手段は、前記外部入力端子に接続された前記外部機器の動作時、機器側リモコンからの特定キー信号を前記受信部で受信すると、前記計測手段を起動して予め設定された一定時間の計測を開始し、一定時間が経過すると前記画像記憶手段に記憶されているスクリーンセーバー用の画像を前記ＣＲＴ表示部に表示するスクリーンセーバーモードに移行することを特徴としている。
【００１９】
すなわち、本発明では、スクリーンセーバー用の画像に関しては、従来の画像表示装置と同様、装置側の画像記憶手段に記憶しておく構成としている。
また、本発明によれば、前記キー信号記憶手段には、前記外部入力端子に接続可能な各種外部機器のリモコン信号である静止画を発生する特定キー信号を各機種ごとに記憶しておくことを特徴としている。
【００２０】
このように、各種外部機器の特定キー信号を予め記憶しておくことで、外部入力端子にどのような機器を接続されても、最適なタイミングでスクリーンセーバー機能を実行することが可能となる。
【００２１】
また、本発明によれば、前記外部入力端子に接続される任意の外部機器の特定キー信号を前記キー信号記憶手段から選択して設定するリモコン信号設定ボタンを自装置のリモコンに設けた構成としている。そして、前記制御手段は、前記リモコン信号設定ボタンの操作により、前記キー信号記憶手段に記憶されている各機種の特定キー信号の中から操作により選択された特定キー信号をスクリーンセーバーに関連する特定キー信号として設定することを特徴としている。
【００２２】
これにより、ユーザによるリモコン信号設定ボタンの選択操作によって、接続する外部機器のリモコン信号（特定キー信号）のみを内部に設定することができる。また、接続する外部機器を変更した場合であっても、リモコン信号設定ボタンの選択操作によって、変更後の外部機器のリモコン信号（特定キー信号）を内部に設定すれば、変更後の外部機器のリモコン操作に応じて、スクリーンセーバー機能を実行することができる。
【００２３】
また、本発明によれば、新たな特定キー信号を追加する追加モード機能を備えており、前記制御手段は、この追加モード時に外部機器のリモコンに設けられている静止画を発生させるキーボタンが自装置に向けて操作されることにより前記キー信号を前記受信部で受信し、新たな特定キー信号として前記キー器信号記憶手段に追加記憶させることを特徴としている。このような追加モード機能を備えることにより、新たに市場に提供される外部機器についても、本発明のスクリーンセーバー機能を利用することが可能となる。
【００２４】
【発明の実施の形態】
以下、本発明の実施の形態について、図面を参照して説明する。
図１は、本発明の画像表示装置の一例であるテレビジョン受像機のハードウェア構成を示すブロック図であり、外部入力端子に外部機器が接続された状態を示している。
【００２５】
図１において、１は外部機器であるＶＣＲであり、ＶＣＲ１の音声出力端子１ａがテレビジョン受像機２の外部音声入力端子２１ａに接続され、映像出力端子１ｂがテレビジョン受像機２の外部映像入力端子２１ｂに接続されている。
【００２６】
また、アンテナ２２ａが接続されたチューナ回路２２の出力は、Ｙ／Ｃ／Ａ分離回路２３に接続されており、Ｙ／Ｃ／Ａ分離回路２３の出力は、音声信号処理部２４と映像信号処理部２５とに接続されている。また、音声信号処理部２４の出力は、第１切換回路２６の一方の切換端子ａを介してスピーカ２７に接続されており、映像信号処理部２５の出力は、第２切換回路２９の一方の切換端子ａ及びＯＳＤ回路２９を介してＣＲＴ表示部３０に接続されている。
【００２７】
また、外部音声入力端子２１ａは音声出力部３２を介して第１切換回路の他方の端子ｂに接続されており、外部映像入力端子２１ｂは映像出力部３１を介して第２切換回路２８の他方の端子ｂに接続されている。
【００２８】
テレビジョン受像機全体の動作を制御する制御部３５は、チューナ回路２２、映像信号処理部２５、映像出力部３２、第１切換回路２６、第２切換回路２８及びＯＳＤ回路２９に対してそれぞれ制御信号を出力する。また、制御部３５には、外部音声入力端子２１ａ及び外部映像入力端子２１ｂ（以下、必要に応じて「外部入力端子２１」と称する。）に接続される外部機器（本実施形態ではＶＣＲ１）のリモコン（以下、「機器側リモコン」という。）１１から送信されてくる特定の操作信号（特定キー信号）を記憶するキー信号メモリ部３６、スクリーンセーバー用の画像を記憶する画像メモリ部３７、各種の時間を計測するタイマー回路３８、受像機側リモコン４及び機器側リモコン１１からの操作信号を受信する受信部３９がそれぞれ接続されている。
【００２９】
チューナ回路２２は、制御部３５からの選局指令信号により選択されたチャンネルの信号をＹ／Ｃ／Ａ分離回路２３に入力する。Ｙ／Ｃ／Ａ分離回路２３は、チューナ回路２２からの入力信号を分離して音声信号を音声信号処理部２４に送出する一方、映像信号の輝度信号（Ｙ）、搬送信号（Ｃ）及び同期信号等からなるコンポジット信号を映像信号処理部２５に送出する。音声信号処理部２４は、復調した音声信号を第１切換回路２６を介してスピーカ２７に送出する。
【００３０】
映像信号処理部２５は、マクロＩＣからなるもので、色信号出力回路や同期分離回路等を備えている。この映像信号処理部２５は、出力が第２切換回路２８及びＯＳＤ回路２９を介してＣＲＴ表示部３０に接続される一方、図示しない偏向回路を介してＣＲＴ表示部３０に接続されている。色信号出力回路は、輝度信号（Ｙ）と色差信号とをマトリックスして生成したＲ，Ｇ，Ｂの３原色信号を増幅し、ＣＲＴのカソードに供給するようになっている。
【００３１】
音声出力部３２は、外部音声入力端子２１ａから入力される音声データを第１切換回路２６を介してスピーカ２７に出力し、映像出力部３１は、外部映像入力端子２１ｂから入力される映像データを第２切換回路２８及びＯＳＤ回路２９を介してＣＲＴ表示部３０に出力する。
【００３２】
受像機側リモコン４には、外部入力端子２１に接続されるＶＣＲ１のリモコン信号をキー信号メモリ部３６から選択して設定するリモコン信号設定ボタン４１と、チューナ回路２２で受信した映像をスクリーンセーバー用の画像として取り込むための画像取り込みボタン４２と、特定キー信号を追加登録するための追加ボタン４３とを備えている。
【００３３】
キー信号メモリ部３６に記憶される特定キー信号とは、静止画を発生させるようなキー信号のことであり、外部機器が本実施形態のＶＣＲ１である場合には、ポーズキー信号やストップキー信号がこれに該当する。ただし、外部機器が例えばＤＶＤ装置である場合には、キャプチャー信号なども含まれる。すなわち、特定キー信号は、接続される外部機器に応じて決定される。
【００３４】
この特定キー信号は、予めキー信号メモリ部３６に格納されていてもよいが、ユーザの操作によって追加登録が行えるように構成してもよい。
この追加登録の方法について、図４に示すフローチャートを参照して説明する。
【００３５】
まず、受像機側リモコン４に設けられている追加ボタン４３を操作することにより（ステップＳ１１）、テレビジョン受像機２側を追加モードに設定する（ステップＳ１２）。次に、追加したい外部機器のリモコンをテレビジョン受像機２の受信部３９に向けた状態で、静止画を発生させるキーボタン（例えば、ポーズキーボタンやストップキーボタン等）を操作する（ステップＳ１３）。このキーボタン信号は、受信部３９によって受信され、追加モードに設定されている制御部３５に入力される。制御部３５は、受信部３９から入力されたキー信号を、新たな特定キー信号としてキー信号メモリ部３６に追加登録する（ステップＳ１４）。これにより、以後、このリモコンのポーズキーボタンやストップキーボタン等が操作されると、制御部３５ではこれを特定キー信号と認識して、スクリーンセーバーモードを実行することになる。
【００３６】
また、特定キー信号については、テレビジョン受像機２の外部入力端子２１に接続可能な各種外部機器の全ての特定キー信号をキー信号メモリ部３６に予め登録しておき、その中からユーザが任意に外部機器を選択することで使用可能な特定キー信号を内部に設定できるように構成してもよい。
【００３７】
図２は、キー信号メモリ部３６に予め登録されている各種外部機器の全ての特定キー信号のデータ構成例を示している。
すなわち、メーカ名及び機種名に対応させて特定キー信号及び解除キー信号が登録されている。例えば、メーカー名「×××社」の機種名「ＡＡＡ」については、特定キー信号としてポーズキー信号「ａａａ１」とストップキー信号「ｂｂｂ１」とが登録されており、これらを解除（静止画状態を解除）するキー信号としてプレイキー信号「１ａａ１」が登録されている。ただし、上記したように、特定キー信号は、接続される外部機器の種類によって異なる場合があり、これを解除するキー信号も外部機器の種類によって異なる場合がある。また、特定キー信号の種類も、上記２種類に限るものではなく、解除キー信号も上記１種類に限るものではない。
【００３８】
次に、上記メモリ構成のキー信号メモリ部３６から任意の外部機器の特定キー信号を設定する方法について、図５に示すフローチャートを参照して説明する。
【００３９】
ユーザは、受像機側リモコン４のリモコン信号設定ボタン４１を操作することにより（ステップＳ２１）、テレビジョン受像機２側をキー信号設定モードに設定する（ステップＳ２２）。これにより、制御部３５は、ＯＳＤ回路２９を利用してＣＲＴ表示部３０に選択画面を表示する（ステップＳ２３）。
【００４０】
図３は、このときの選択画面の一例を示している。
選択画面には、図２に示すメーカ名と機種名とが表示されており、その横に機種を選択するための選択コードが追加されている。ユーザは、この選択画面から機種名を特定し、その機種名に付与されている選択コードを受像機側リモコン４の数字キーを操作することにより入力する（ステップＳ２４）。例えば、メーカー名「×××社」の機種名「ＡＡＡ」の特定キー信号を設定したい場合には、受像機側リモコン４の数字キーを「１」，「２」，「３」と操作する。これにより、制御部３５では、「ａａａ１」と「ａａａ２」とを有効な特定キー信号として内部に設定し、「１ａａ１」を有効な解除キー信号として内部に設定する（ステップＳ２５）。
【００４１】
ユーザによるこのようなリモコン信号設定ボタン４１の選択操作によって、接続する外部機器の特定キー信号及び解除キー信号のみを内部に設定することができる。また、接続する外部機器を変更した場合であっても、リモコン信号設定ボタン４１の選択操作によって、変更後の外部機器の特定キー信号及び解除キー信号を内部に設定すれば、変更後の外部機器のリモコン操作に応じて、スクリーンセーバーモードに移行することができる。
【００４２】
ただし、このような選択画面によって任意の外部機器の特定キー信号を設定しない場合には、キー信号メモリ部３６に記憶されている全ての特定キー信号を有効として扱ってもよい。すなわち、制御部３５は、受信部３９からリモコンの操作信号を受信するたびにキー信号メモリ部３６に記憶されている全ての特定キー信号をサーチし、一致する特定キー信号がある場合には、後述するスクリーンセーバーモードに移行するようにしてもよい。これにより、ユーザは、接続する外部機器に応じた特定キー信号をテレビジョン受像機２側で有効となるようにその都度設定する必要が無くなるので、操作性が向上することになる。
【００４３】
次に、画像メモリ部３７の構成について説明する。
画像メモリ部３７には、スクリーンセーバー用の画像が記憶されている。このスクリーンセーバー用画像については、スクリーンセーバー用画像として予め所定画像を記憶しておく方法（これは、従来と同じ方法である）と、チューナ回路で受信している映像をスクリーンセーバー用画像として記憶する方法とがある。
【００４４】
ここでは、後者のチューナ回路で受信している映像をスクリーンセーバー用画像として記憶する方法について、図６に示すフローチャートを参照して説明する。
【００４５】
チューナ回路２２により選択されているチャンネルの映像がＣＲＴ表示部３０に表示されている状態において（ステップＳ３１）、ユーザは、スクリーンセーバー用の画像として取り込みたい画像を目視により確認すると、その時点で受像機側リモコン４の画像取り込みボタン４２を操作する（ステップＳ３２）。これにより、制御部３５は、画像取り込みモードに移行し（ステップＳ３３）、チューナ回路２２により選択され映像信号処理部２５においてアナログ信号に変換される前の数秒間のデジタル映像信号をスクリーンセーバー用の画像として画像メモリ部３７に格納する（ステップＳ３４）。
【００４６】
これにより、スクリーンセーバーモードに移行したときには、画像メモリ部３７に格納されている数秒間のデジタル映像信号を抽出し、これを映像信号処理部２５にてアナログ信号に変換した後、第２切換回路２８及びＯＳＤ回路２９を介してＣＲＴ表示部３０に繰り返し表示することになる。
【００４７】
このように、チューナ回路２２で受信している映像からスクリーンセーバー用の画像を作成することで、ユーザの好みに合ったスクリーンセーバー用画像を自由に作成することができる。
【００４８】
また、このようなスクリーンセーバー用の画像を最初から用意せず、スクリーンセーバーモードに移行したときに、チューナ回路２２で受信している映像に切り換えることで、スクリーンセーバーとしての役割を持たせるようにしてもよい。このような構成とすれば、画像メモリ部３７が不要となり、テレビジョン受像機２の構成をより簡素化することが可能となる。
【００４９】
上記構成において、本実施形態のテレビジョン受像機２の主たる特徴は、外部機器であるＶＣＲ１を操作する機器側リモコン１１からの操作信号を、テレビジョン受像機２の受信部３９で直接受信することでＶＣＲ１の動作状態を把握し、ＶＣＲ１の動作状態が静止画を表示する例えばポーズ状態である場合には、テレビジョン受像機２側での処理により、最適なタイミングでスクリーンセーバーモードに移行するように構成した点である。通常、テレビジョン受像機２とＶＣＲ１とは、接近させた状態で並べて設置するのが一般的である。そのため、機器側リモコン１１をＶＣＲ１に向けて操作すると、その操作信号はテレビジョン受像機２の受信部３９でも受信することが可能である。
【００５０】
次に、上記構成のテレビジョン受像機２において、接続された外部機器のリモコンからの操作信号に基づいて、スクリーンセーバーモードに移行する処理手順について、図７に示すフローチャートを参照して説明する。
【００５１】
機器側リモコン１１の例えばプレイキーを操作して、外部機器であるＶＣＲ１を再生状態とする（ステップＳ４１）。この状態において、テレビジョン受像機２の制御部３５は、静止画を発生させるキー操作である機器側リモコン１１のポーズキーが押されたか（ステップＳ４２）、またはストップキーが押されたか（ステップＳ４３）を常に監視する。
【００５２】
そして、機器側リモコン１１のポーズキーまたはストップキーが押されると、そのポーズキー信号またはストップキー信号はテレビジョン受像機２の受信部３９でも受信され、制御部３５に入力される。制御部３５は、このポーズキー信号またはストップキー信号に基づき、タイマー回路３８を起動して一定時間（例えば、１５秒等）の計測を開始する（ステップＳ４４）。
【００５３】
そして、一定時間の計測中に、解除キーである機器側リモコン１１のプレイキーが操作されたか否か（すなわち、プレイキー信号を受信したか否か）の判定（ステップＳ４５）と、一定時間が経過したか否かの判定（ステップＳ４６）からなるループ動作を開始する。その結果、一定時間の計測中に機器側リモコン１１のプレイキーが操作された場合（ステップＳ４５でＹｅｓと判断された場合）には、スクリーンセーバーモードに移行することなく、ステップＳ４１に戻って通常の再生動作に戻る。
【００５４】
一方、プレイキーが操作されることなく一定時間が経過した場合（ステップＳ４５でＮｏ、ステップＳ４６でＹｅｓと判断された場合）には、制御部３５は、スクリーンセーバーモードに移行し、ＣＲＴ表示部３０にスクリーンセーバー用の画像を表示する（ステップＳ４７）。このときのスクリーンセーバー用の画像は、上記したように、画像メモリ部３７に予め記憶されている画像、またはユーザによって受信チャンネルの映像から数秒間取り込まれ画像メモリ部３７に記憶された画像、またはスクリーンセーバーに移行した時点でチューナ回路２２により受信されているチャンネルの画像のいずれかである。
【００５５】
このようにスクリーンセーバーモードを実行中において、制御部３５は、機器側リモコン１１のプレイキーが操作されたか否か（すなわち、プレイキー信号を受信したか否か）を監視する（ステップＳ４８）。そして、プレイキー信号を受信した場合には、その時点でスクリーンセーバーモードを中止し、ステップＳ４１に戻って通常の再生動作に戻る。
【００５６】
なお、上記実施形態では、外部機器としてスクリーンセーバー機能を有しないＶＣＲを例示しているが、スクリーンセーバー機能を有する例えばＤＶＤ装置であっても、本発明を有効に適用することができる。すなわち、外付けされたＤＶＤ装置側のスクリーンセーバー機能とは別に、テレビジョン受像機２側の最適なタイミングでスクリーンセーバーモードに移行することができるといった利点がある。
【００５７】
【発明の効果】
以上説明したように本発明によれば、外部入力端子に接続された外部機器の機器側リモコンから送信される操作信号を、自装置のリモコン信号を受信するために設けられている受信部を利用して直接受信することによって、外部機器の動作状態を装置側で把握する構成としたので、外部機器を接続するための外部入力端子とは別に、外部機器の動作状態を把握するための専用の接続を行わなくても、装置側で外部機器の動作状態を確実に把握することが可能となり、最適なタイミングでスクリーンセーバーモードに移行することができる。
【００５８】
また、本発明によれば、スクリーンセーバーモードに移行したとき、チューナ回路で受信している映像をスクリーンセーバー用画像として利用する構成としている。これにより、装置側でスクリーンセーバー用の画像を記憶しておく必要がないので、そのためのメモリを省略することができる。
【００５９】
また、本発明によれば、前記キー信号記憶手段には、前記外部入力端子に接続可能な各種外部機器のリモコン信号である静止画を発生する特定キー信号を各機種ごとに記憶しておく構成としている。このように、各種外部機器の特定キー信号を予め記憶しておくことで、外部入力端子にどのような機器を接続されても、最適なタイミングでスクリーンセーバー機能を実行することが可能となる。
【００６０】
また、本発明によれば、外部入力端子に接続される任意の外部機器の特定キー信号をキー信号記憶手段から選択して設定するリモコン信号設定ボタンを自装置のリモコンに設けており、制御手段は、このリモコン信号設定ボタンの操作により、キー信号記憶手段に記憶されている各機種の特定キー信号の中から操作により選択された特定キー信号をスクリーンセーバーに関連する特定キー信号として設定する構成としている。これにより、ユーザによるリモコン信号設定ボタンの選択操作によって、接続する外部機器のリモコン信号（特定キー信号）のみを内部に設定することができる。また、接続する外部機器を変更した場合であっても、リモコン信号設定ボタンの選択操作によって、変更後の外部機器のリモコン信号（特定キー信号）を内部に設定すれば、変更後の外部機器のリモコン操作に応じて、スクリーンセーバー機能を実行することができる。
【００６１】
また、本発明によれば、新たな特定キー信号を追加する追加モード機能を備えており、制御手段は、この追加モード時に外部機器のリモコンに設けられている静止画を発生させるキーボタンが自装置に向けて操作されることによりキー信号を受信部で受信し、新たな特定キー信号としてキー信号記憶手段に追加記憶する構成としている。このような追加モード機能を備えることにより、新たに市場に提供される外部機器についても、本発明のスクリーンセーバー機能を利用することができる。
【図面の簡単な説明】
【図１】本発明の画像表示装置の一例であるテレビジョン受像機のハードウェア構成を示すブロック図である。
【図２】キー信号メモリ部に予め登録されている各種外部機器の全ての特定キー信号のデータ構成例を示す説明図である。
【図３】ＣＲＴ表示部に表示される選択画面の一例を示す説明図である。
【図４】特定キー信号を追加登録する処理手順を示すフローチャートである。
【図５】キー信号メモリ部から任意の外部機器の特定キー信号を設定する手順を示すフローチャートである。
【図６】チューナ回路で受信している映像をスクリーンセーバー用画像として記憶する手順を示すフローチャートである。
【図７】接続された外部機器のリモコンからの操作信号に基づいて、スクリーンセーバモードに移行する処理手順を示すフローチャートである。
【符号の説明】
１  ＶＣＲ（外部機器）
２  テレビジョン受像機
４  受像機側リモコン
１１  機器側リモコン
２１  外部入力端子
２１ａ  外部音声入力端子
２１ｂ  外部映像入力端子
２２  チューナ回路
２３  Ｙ／Ｃ／Ａ分離回路
２４  音声信号処理部
２５  映像信号処理部
２６第１切換回路
２７  スピーカ
２８  第２切換回路
２９  ＯＳＤ回路
３０  ＣＲＴ表示部
３１  映像出力部
３２  音声出力部
３５  制御部
３６  キー信号メモリ部
３７  画像メモリ部
３８  タイマー回路
３９  受信部
４１  リモコン信号設定ボタン
４２  画像取り込みボタン
４３  追加ボタン
【図１】
2005027112.tif 000003
【図２】
2005027112.tif 000004
【図３】
2005027112.tif 000005
【図４】
2005027112.tif 000006
【図５】
2005027112.tif 000007
【図６】
2005027112.tif 000008
【図７】
2005027112.tif 000009